(57)【要約】【課題】ユーザが所望するだけ継続して電子機器を動作させるために二次電池を充電するのに要する時間をユーザが知ることが可能な電子機器を提供することである。【解決手段】二次電池２１０を備えた電子機器１００が提供される。電子機器１００は、電子機器１００の使用予定時間を受け付けるための受付部２４０と、二次電池２１０に蓄えられている電荷の残量を検出するための第１の検出部２２０と、二次電池２１０に流れる電流の電流値を検出するための第２の検出部２３０と、電子機器１００を使用予定時間の間継続して動作させるのに必要な電荷を蓄えるまでに要する充電時間を残量および電流値に基づいて算出するための算出部２５０と、充電時間を報知するための報知部２６０とを備える。【選択図】図２
2015019513.tif 000002
【特許請求の範囲】
【請求項１】
二次電池を備えた電子機器であって、
前記電子機器の使用予定時間を受け付けるための受付手段と、
前記二次電池に蓄えられている電荷の残量を検出するための第１の検出手段と、
前記二次電池に流れる電流の電流値を検出するための第２の検出手段と、
前記電子機器を前記使用予定時間の間継続して動作させるのに必要な電荷を蓄えるまでに要する充電時間を前記残量および前記電流値に基づいて算出するための算出手段と、
前記充電時間を報知するための報知手段とを備える、電子機器。
【請求項２】
時間を表す情報と、前記時間で蓄えられる電荷の量との関係を規定したデータとを格納するための記憶手段を備え、
前記算出手段は、
前記電子機器を前記使用予定時間の間継続して動作させるのに必要な電荷の量を前記データから取得し、
前記取得した電荷の量と前記残量との差、および前記電流値に基づいて前記充電時間を算出する、請求項１に記載の電子機器。
【請求項３】
前記報知手段は、モニタを含み、
前記モニタは、前記充電時間を表示する、請求項１または２に記載の電子機器。
【請求項４】
光源と、
前記光源の点灯の態様を制御するための点灯制御手段とをさらに備え、
前記点灯制御手段は、
前記二次電池に蓄えられている電荷の残量が、前記使用予定時間の間継続して動作させるのに必要な電荷の量を越えるまでは、前記光源を第１の態様で点灯させ、
前記二次電池に蓄えられている電荷の残量が、前記使用予定時間の間継続して動作させるのに必要な電荷の量を越えると、前記光源を第２の態様で点灯させる、請求項１〜３のいずれか１項に記載の記載の電子機器。
【請求項５】
二次電池を備えた電子機器であって、
前記二次電池の容量に対して前記二次電池に蓄える電荷の量の割合を受付けるための受付手段と、
前記二次電池に蓄えられている電荷の残量を検出するための第１の検出手段と、
前記二次電池に流れる電流の電流値を検出するための第２の検出手段と、
前記割合に達するまで電荷を蓄えるのに要する充電時間を前記残量および前記電流値に基づいて算出するための算出手段と、
前記充電時間を報知するための報知手段とを備える、電子機器。
【発明の詳細な説明】
【技術分野】
【０００１】
この発明は、二次電池を備えた電子機器に関する。
【背景技術】
【０００２】
近年、二次電池を備えたスマートフォン等の電子機器が普及している。当該電子機器の普及に伴い、二次電池を充電するのにかかる時間を予測するための技術が開発されている。
【０００３】
たとえば、特開２０１３−３１２３９号公報（特許公報１）は、「充電完了までの時間を簡単に知ることができる充電完了時間推定方法」を開示している（［要約］参照）。当該充電完了時間推定方法は、充電開始後の一定時間内の充電率（ＳＯＣ：State  Of  Charge）の上昇率を算出し、当該上昇率に基づいて充電が開始されてから完了するまでにかかる時間を推定する。
【先行技術文献】
【特許文献】
【０００４】
【特許文献１】特開２０１３−３１２３９号公報
【発明の概要】
【発明が解決しようとする課題】
【０００５】
ところで、特許公報１が開示している充電完了時間推定方法は、充電を開始してから、電池を満タン（充電率＝１００％）に充電するまでにかかる時間を推定する。しかしながら、ユーザは、電池を満タンに充電するための時間を十分に確保できない場合がある。この場合、ユーザが所望する情報は、電池を満タンに充電するのに要する時間ではなく、ユーザが電子機器を使用する予定の時間（以下「使用予定時間」とも称す。）の分の充電にかかる時間である。
【０００６】
この開示は上述のような問題点を解決するためになされたものであって、その目的は、ユーザが所望するだけ継続して電子機器を動作させるために二次電池を充電するのに要する時間をユーザが知ることが可能な電子機器を提供することである。
【課題を解決するための手段】
【０００７】
一実施の形態に従うと、二次電池を備えた電子機器が提供される。当該電子機器は、電子機器の使用予定時間を受け付けるための受付手段と、二次電池に蓄えられている電荷の残量を検出するための第１の検出手段と、二次電池に流れる電流の電流値を検出するための第２の検出手段と、電子機器を使用予定時間の間継続して動作させるのに必要な電荷を蓄えるまでに要する充電時間を残量および電流値に基づいて算出するための算出手段と、充電時間を報知するための報知手段とを備える。
【０００８】
ある局面において、ユーザが所望するだけ継続して電子機器を動作させるために二次電池を充電するのに要する時間をユーザが知ることが可能な電子機器を提供することができる。
【０００９】
この発明の上記および他の目的、特徴、局面および利点は、添付の図面と関連して理解されるこの発明に関する次の詳細な説明から明らかとなるであろう。
【図面の簡単な説明】
【００１０】
【図１】第１の実施の形態に従う携帯電話機の概要を示す図である。
【図２】第１の実施の形態に従う携帯電話機の主要な構成を示すブロック図である。
【図３】第１の実施の形態に従う携帯電話機のハードウェア構成を示すブロック図である。
【図４】充電時間リストのデータ構造を示す図である。
【図５】スマートフォン１００に含まれる回路の概要を説明するための図である。
【図６】充電量に基づく携帯電話機の状態の変化を示す図である。
【図７】第１の実施の形態に従う携帯電話機が実行する処理の一部を表わすフローチャートである。
【図８】第２の実施の形態に従う携帯電話機の概要を示す図である。
【発明を実施するための形態】
【００１１】
以下、図面を参照しつつ、本実施の形態について説明する。以下の説明では、同一の部品および構成要素には同一の符号を付してある。それらの名称および機能も同じである。したがって、これらについての詳細な説明は繰り返さない。
【００１２】
なお、以下では、電子機器の一例として携帯電話機として機能するスマートフォン１００の詳細について説明するが、電子機器は、スマートフォンに限定されるものではない。たとえば、電子機器は、タブレット端末、カメラ、その他二次電池を備えた携帯機器等も含み得る。
【００１３】
［第１の実施の形態］
＜Ａ．概要＞
図１は、第１の実施の形態に従うスマートフォン１００の概要を示す図である。図１を参照して、スマートフォン１００の概要について説明する。
【００１４】
図１（Ａ）を参照して、スマートフォン１００は、モニタ１２０と、スピーカ１４０と、二次電池２１０（図示せず）とを備える。
【００１５】
スマートフォン１００は、当該スマートフォン１００を使用予定時間の間継続して動作させるために二次電池を充電するのにかかる時間（以下「目安充電時間」とも称す）を報知する。
【００１６】
より具体的には、スマートフォン１００は、モニタ１２０にダイアログ１２１を表示する。ダイアログ１２１は、入力領域１２３を有する。ユーザは、入力領域１２３にスマートフォン１００の使用予定時間を入力する。
【００１７】
図１（Ｂ）を参照して、ユーザが入力領域１２３に使用予定時間を入力すると、スマートフォン１００は、モニタ１２０にダイアログ１２５を表示する。ダイアログ１２５には、目安充電時間が表示される。目安充電時間は、スピーカ１４０から音声として出力されてもよい。
【００１８】
たとえば、図示されるように、ユーザが使用予定時間として「３時間」を入力した場合、目安充電時間が２時間として表示される。つまり、ユーザがスマートフォン１００を３時間継続して使用するためには、２時間の充電が必要でことが示される。なお、充電を行なわずとも、使用予定時間の間継続してスマートフォン１００を動作できる場合には、スマートフォン１００は、充電が必要ないことをユーザに報知する。
【００１９】
このように、本実施の形態に従うスマートフォン１００は、使用予定時間の間継続して動作させるために二次電池２１０を充電するのにかかる時間（目安充電時間）を報知する。ユーザは、電池を充電するための時間を十分に確保できない場合に、目安充電時間を参考にして余分に充電に時間をかけずに済む。
【００２０】
また、スマートフォン１００を使用する時間は、ユーザまたは、ユーザの行動等によって異なる。ユーザは、当該ユーザまたは当該ユーザの行動に合わせた目安充電時間を把握することが可能になり、目安充電時間に基づいて自身の計画を立てやすくなる。
【００２１】
＜Ｂ．充電＞
以下、充電について説明する。図５は、スマートフォン１００に含まれる回路の概要を説明するための図である。図５を参照して、スマートフォン１００は、後述するＣＰＵ３０１（Central  Processing  Unit）等が載置される基板側の端子６０１，６０２と、充電用の端子７０１，７０２と、配線９０１，９０２，９０３，９１１，９１２と、センサ１００１と、センサ１００２と、ノード８０１，８０２，８０３，８０４とを有する。
【００２２】
ノード８０１は、配線９０１と配線９１１との接続点である。ノード８０２は、配線９０２と配線９１２との接続点である。ノード８０３は、センサ１００２と配線９０１との接続点である。ノード８０４は、センサ１００２と配線９０２との接続点である。ノード８０１は、ノード８０３よりも端子６０１側に位置する。ノード８０２は、ノード８０４よりも端子６０２側に位置する。
【００２３】
二次電池２１０は、＋端子２１０１と、−端子２１０２と、ＭＯＳＦＥＴスイッチ２１０３とを有する。ＭＯＳＦＥＴスイッチ２１０３は、充電電流をオンおよびオフする。
【００２４】
センサ１００１と−端子２１０２とは配線９０３により接続されている。詳しくは、センサ１００１は、ノード８０４と−端子２１０２との間に設置されている。それゆえ、センサ１００１は、配線９０３に流れる電流を検出することができる。
【００２５】
センサ１００２は、＋端子２１０１と−端子２１０２との間の電圧（端子間電圧）を検出する。
【００２６】
スマートフォン１００内の各種デバイスは、二次電池２１０から供給される電流により動作する。なお、電流とは、単位時間当たりに流れる電荷量（単位：クーロン（Ｃ））をいう。つまり、１Ａの電流によって１秒間に流れる電荷が１Ｃ（＝１Ａｓ）である。
【００２７】
図５の回路においては、電流は、＋端子２１０１と−端子２１０２との間を流れる。詳しくは、放電時には、電流は、二次電池２１０の内部を、−端子２１０２から＋端子２１０１の向き（図の破線の矢印の向き）に流れる。すなわち、放電時には、電流は、＋端子２１０１から出力され、スマートフォン１００Ａ内の各種のデバイス（図３参照）に流れる。一方、充電時には、電流は、二次電池２１０の内部を＋端子２１０１から−端子２１０２の向き（図の実線の矢印の向き）に流れる。これにより、二次電池２１０は充電される。つまり、二次電池２１０に電荷が蓄えられる。
【００２８】
＜Ｃ．主要構成＞
図２は、第１の実施の形態に従うスマートフォン１００の主要な構成を示すブロック図である。図２を参照して、スマートフォン１００の主要な構成の一例について説明する。
【００２９】
スマートフォン１００は、二次電池２１０と、第１の検出部２２０と、第２の検出部２３０と、受付部２４０と、算出部２５０と、報知部２６０とを備える。
【００３０】
二次電池２１０は、典型的には、リチウムイオン電池やニッケル水素電池などで構成される。二次電池２１０からスマートフォン１００の各ハードウェアに電流が供給されることで、スマートフォン１００は、当該スマートフォン１００が有する各種機能を動作させる。
【００３１】
第１の検出部２２０は、二次電池２１０に蓄えられている電荷の残量（以下、「電池残量」とも称します。）を検出する。たとえば、二次電池２１０の出力電圧または出力電流は、電池残量に応じて減少するので、第１の検出部２２０は、当該出力電圧または当該出力電流に基づいて電池残量を検出する。第１の検出部２２０は、検出した電池残量を算出部２５０に出力する。
【００３２】
第２の検出部２３０は、二次電池２１０に流れる電流の電流値を検出する。より具体的には、第２の検出部２３０は、二次電池２１０の端子間に流れる電流値を検出する。典型的には、第２の検出部２３０は、センサ１００１によって、＋端子２１０１から二次電池２１０の内部を通って−端子２１０２に流れ、−端子２１０２から出力される電流値を検出する。
【００３３】
当該電流値は、予め定められた時間で流れる電流量の平均値であってもよい。たとえば、当該予め定められた時間は、２秒、１分、１時間、または任意の時間である。典型的には、第２の検出部２３０は、二次電池２１０の充電が開始されたことに基づいて電流値を検出する。第２の検出部２３０は、検出した電流値を算出部２５０に出力する。
【００３４】
受付部２４０は、スマートフォン１００の使用予定時間を受け付ける。典型的には、ユーザが、モニタ１２０に表示された入力領域１２３に使用予定時間を入力する。ある局面において、使用予定時間は、ユーザの音声により入力できるように構成されてもよい。受付部２４０は、入力された使用予定時間を算出部２５０に出力する。他の局面において、スマートフォン１００は、入力された使用予定時間を記憶し、以降は記憶した使用予定時間を用いるように構成されてもよい。これにより、使用予定時間を都度入力する手間を省くことが可能になる。
【００３５】
算出部２５０は、使用予定時間の間継続して動作させるのに必要な電荷を蓄えるまでに要する充電時間を第１の検出部２２０が検出した電池残量および第２の検出部２３０が検出した電流値に基づいて算出する。
【００３６】
典型的には、算出部２５０は、スマートフォン１００を使用予定時間の間継続して動作させるのに必要な電荷量（以下、「目安電荷量」とも称す。）を後述する充電時間リスト３２０を参照して取得する。算出部２５０は、目安電荷量と、第１の検出部２２０が検出した電池残量との差分を求める。また、算出部２５０は、当該差分と、第２の検出部２３０が検出した電流値とに基づいて充電時間を算出する。たとえば、算出部２５０は、当該差分を当該電流値で割ることで充電時間を算出する。算出部２５０は、算出した充電時間を報知部２６０に出力する。
【００３７】
報知部２６０は、算出部２５０により出力された充電時間を報知する。たとえば、報知部２６０は、モニタ１２０と、スピーカ１４０とを含む。モニタ１２０は、充電時間を表示する。スピーカ１４０は、充電時間を音声により報知する。
【００３８】
点灯制御部２７０は、ＬＥＤ１３０の点灯の態様を制御する。典型的には、点灯制御部２７０は、二次電池２１０の電池残量が、目安電荷量を越えるまではＬＥＤ１３０を第１の態様で点灯させる。また、点灯制御部２７０は、二次電池２１０の電池残量が、目安電荷量を越えるとＬＥＤ１３０を第１の態様とは異なる第２の態様で点灯させる。さらに、点灯制御部２７０は、充電量が満タンの場合には、ＬＥＤ１３０を消灯させる。
【００３９】
＜Ｄ．ハードウェア構成＞
図３は、第１の実施の形態に従うスマートフォン１００のハードウェア構成を示すブロック図である。図３を参照して、スマートフォン１００のハードウェア構成の一例について説明する。
【００４０】
スマートフォン１００は、モニタ１２０と、ＬＥＤ１３０と、スピーカ１４０と、二次電池２１０と、ＣＰＵ３０１と、ＲＯＭ（Read  Only  Memory）３０２と、ＲＡＭ（Random  Access  Memory）３０３と、充電端子３０５と、メモリカードインターフェイス（Ｉ／Ｆ）３０６と、ネットワークインターフェイス（Ｉ／Ｆ）３０７と、補助記憶装置３１０とを備える。補助記憶装置３１０は、充電時間リスト３２０を格納する。充電時間リスト３２０は、使用予定時間３２１と、充電量３２２との関係を規定する。充電時間リスト３２０の詳細については後述する。
【００４１】
ＣＰＵ３０１は、ＲＯＭ３０２や補助記憶装置３１０などに格納された、オペレーティングシステム（ＯＳ：Operating  System）やスマートフォン１００の制御プログラムなどの各種プログラムを実行することで、スマートフォン１００の全体を制御する。
【００４２】
ＲＯＭ３０２は、スマートフォン１００において起動時に実行される初期プログラム（ブートプログラム）などを格納する。
【００４３】
ＲＡＭ３０３は、ＣＰＵ３０１でプログラムを実行するためのワーキングメモリとして機能し、プログラムの実行に必要な各種データを一次的に格納する。
【００４４】
スピーカ１４０は、目安充電時間を音声により出力することによりユーザに報知する。
モニタ１２０は、目安充電時間を表示する。モニタ１２０は、タッチセンサ（図示しない）と組み合わされてタッチパネルとして構成されてもよい。この場合、ユーザは、タッチパネルを操作して、ダイアログ１２１の入力領域１２３に使用予定時間を入力する。
【００４５】
充電端子３０５は、スマートフォン１００を充電するための充電機と、その他の電荷の供給源との接続を可能にする。たとえば、充電機は、一次電池または二次電池を取り付け可能に構成される。これらの電荷の供給源が充電端子３０５に接続されると、スマートフォン１００は、充電端子３０５から供給される電荷を二次電池２１０に蓄える。
【００４６】
ＬＥＤ１３０は、充電が開始されると発光する。たとえば、二次電池２１０は、ＣＰＵ３０１からの信号に基づいて予め定められた発光動作を行う。ＬＥＤ１３０は、一定の光量で発光してもよい。典型的には、ＬＥＤ１３０は、二次電池２１０が満タンに充電されると消灯する。
【００４７】
メモリカードＩ／Ｆ３０６は、ＳＤ（Secure  Digital）カードやＣＦ（Compact  Flash（登録商標））カードなどのメモリカード（不揮発性記憶媒体）３３０との間で、データの読み書きを行なう。
【００４８】
ネットワークＩ／Ｆ３０７は、各種の通信媒体を介して、他の通信機器とデータの送受信を行なう。たとえば、他の通信機器は、携帯電話機、パソコン、サーバ装置、その他通信機能を有する電子機器である。スマートフォン１００は、ネットワークＩ／Ｆ３０７を介して、当該他の通信機器に目安充電時間を送信するように構成されてもよい。
【００４９】
＜Ｅ．充電時間リスト＞
図４は、充電時間リスト３２０のデータ構造を示す図である。図４を参照して、充電時間リスト３２０のデータ構造について説明する。
【００５０】
充電時間リスト３２０は、時間を表す情報（使用予定時間３２１）と、当該時間で蓄えられる電荷量（充電量３２２）との関係を規定したデータである。典型的には、充電時間リスト３２０は、予め補助記憶装置３１０に格納される。また、充電時間リスト３２０は、ユーザが編集できるように構成されてもよい。
【００５１】
図４を参照して、充電時間リスト３２０には、使用予定時間３２１と、使用予定時間３２１に対応する充電量３２２との関係が規定される。たとえば、ユーザの使用予定時間が１時間であれば、必要な電池の順電量（電荷量）は２００ｍＡＨである。ユーザの使用予定時間が２時間であれば、必要な電池の順電量（電荷量）は５００ｍＡＨである。ユーザの使用予定時間が３時間であれば、必要な電池の順電量（電荷量）は１０００ｍＡＨである。なお、図示される使用予定時間３２１の時間間隔は、１時間であるが１時間に限定されない。たとえば、当該時間間隔は、１秒、１分、またはその他の任意の時間であってもよい。また、当該時間間隔は一定である必要はなく、任意の時間間隔であってもよい。
【００５２】
以下、ユーザに入力された使用予定時間が１時間、第１の検出部２２０により検出された電池残量が１５０ｍＡＨ、かつ、第２の検出部２３０により検出された電流値が１００ｍＡである場合を例に挙げて説明する。この場合、算出部２５０は、充電時間リスト３２０を参照して、使用予定時間１時間に対応する充電量２００ｍＡＨを取得する。また、算出部２５０は、取得した充電量２００ｍＡＨから電池残量１５０ｍＡＨとの差分５０ｍＡＨ（＝２００ｍＡＨ−１５０ｍＡＨ）を算出する。さらに、算出部２５０は、５０ｍＡＨを充電するまでにかかる時間を電流値に基づいて算出する。たとえば、算出部２５０は、当該差分５０ｍＡＨを電流値１００ｍＡで割ることで充電時間を算出する。この場合、目安充電時間は、約０．５Ｈ（＝５０ｍＡＨ／１００ｍＡ）である。つまり、スマートフォン１００を１時間継続して使用するために、０．５時間（＝３０分）の充電が必要であることが示される。
【００５３】
＜Ｆ．状態＞
図６は、充電量に基づくスマートフォン１００の状態の変化を示す図である。図６を参照して、充電量に基づくスマートフォン１００の状態の変化について説明する。
【００５４】
スマートフォン１００は、３つの状態を有する。第１の状態は、二次電池２１０の電池残量が目安電荷量より少ない状態をいう。第２の状態は、二次電池２１０の電池残量が目安電荷量よりは多いが、電荷が二次電池２１０に満タンに蓄えられていない状態をいう。第３の状態は、電荷が二次電池２１０に満タンに蓄えられている状態をいう。典型的には、二次電池２１０の電池残量は、第１の検出部２２０により検出される。
【００５５】
図６（Ａ）において、第１の状態におけるスマートフォン１００が示される。図６（Ｂ）において、第２の状態におけるスマートフォン１００が示される。図６（Ｃ）において、第３の状態におけるスマートフォン１００が示される。
【００５６】
図６（Ａ）を参照して、第１の状態においては、スマートフォン１００は、ＬＥＤ１３０を第１の態様で光らせる。たとえば、スマートフォン１００は、ＬＥＤ１３０を一定の光量で発光させる。また、スマートフォン１００は、モニタ１２０にオブジェクト１２７を表示する。オブジェクト１２７は、第１の状態を示す表示（図６（Ａ）においては「充電状態１」と示される）を含む。スマートフォン１００の状態は、電池残量が目安電荷量に達すると、第１の状態から第２の状態に遷移する。
【００５７】
図６（Ｂ）を参照して、スマートフォン１００は、第１の態様から第２の態様に状態が遷移したときに、ＬＥＤ１３０を第１の態様とは異なる第２の態様で光らせる。たとえば、スマートフォン１００は、第１の態様から第２の態様に状態が遷移したときに、ＬＥＤ１３０の色、光量、および点灯間隔のうちの少なくとも１つを変更する。また、スマートフォン１００は、第１の状態から第２の状態に遷移したことをスピーカ１４０から音声で出力するように構成されてもよい。
【００５８】
スマートフォン１００は、第２の状態において、モニタ１２０にオブジェクト１２９を表示する。オブジェクト１２９は、第２の状態を示す表示（図６（Ｂ）においては「充電状態２」と示される）を含む。
【００５９】
また、ユーザが使用予定時間をスマートフォン１００に入力したときに、電池残量が目安充電量を越えている場合には、スマートフォン１００は、当該スマートフォン１００が充電前から第２の状態であることをユーザに報知する。たとえば、スマートフォン１００は、第２の状態を示すオブジェクト１２９をモニタ１２０に表示する。また、スマートフォン１００は、ＬＥＤ１３０を点滅させる、予め定められた色で点灯させるように構成されてもよい。これにより、ユーザは、スマートフォン１００の充電状態を一見して把握できる。
【００６０】
図６（Ｃ）を参照して、電荷が二次電池２１０に満タンに蓄えられると、スマートフォン１００は、ＬＥＤ１３０の態様を第１，２の態様とは異なる第３の態様に移す。たとえば、スマートフォン１００は、第２の態様から第３の態様に状態が遷移したときに、ＬＥＤ１３０を消灯する。スマートフォン１００は、第２の態様から第３の態様に状態が遷移したときに、ＬＥＤ１３０の色、光量、および点灯間隔のうちの少なくとも１つを変更するように構成されてもよい。さらに、スマートフォン１００は、第２の状態から第３の状態に遷移したことをスピーカ１４０から音声で出力するように構成されてもよい。
【００６１】
スマートフォン１００は、第３の状態において、モニタ１２０にオブジェクト１３１を表示する。オブジェクト１３１は、第３の状態を示す表示（図６（Ｃ）においては「充電状態３」と示される）を含む。
【００６２】
＜Ｇ．制御構造＞
図７は、第１の実施の形態に従うスマートフォン１００が実行する処理の一部を表わすフローチャートである。図７の処理は、ＣＰＵ３０１がプログラムを実行することにより実現される。他の局面において、処理の一部又は全部が、回路素子その他のハードウェアによって実行されてもよい。
【００６３】
図７を参照して、ステップＳ４０１において、ＣＰＵ３０１は、充電が開始されると、ＬＥＤ１３０を点灯させる。たとえば、ＣＰＵ３０１は、二次電池２１０の−端子から＋端子に電流が流れることを検出することで、充電が開始されたと判断する。
【００６４】
ステップＳ４０３は、ＣＰＵ３０１は、第１の検出部２２０として、二次電池２１０の電池残量を検出する。たとえば、ＣＰＵ３０１は、二次電池２１０の出力電圧または出力電流等から電荷の残量を検出する。
【００６５】
ステップＳ４１０において、ＣＰＵ３０１は、ユーザがアプリケーション等を利用しているか否かを判断する。たとえば、ＣＰＵ３０１は、ゲームや、動画等を利用中であるか否かを判断する。ＣＰＵ３０１は、ユーザがアプリケーション等を利用していると判断した場合には（ステップＳ４１０においてＹＥＳ）、制御をステップＳ４１１に切り替える。ＣＰＵ３０１は、ユーザがアプリケーション等を利用していないと判断した場合には（ステップＳ４１０においてＮＯ）、制御をステップＳ４１０に切り替える。なお、ステップＳ４１０は、必ずしも実行される必要はない。この場合、ＣＰＵ３０１は、ステップＳ４０３を実行した後に、ステップＳ４１１を実行する。
【００６６】
ステップＳ４１１において、ＣＰＵ３０１は、使用予定時間を受付ける。典型的には、ユーザがモニタ１２０に使用予定時間を入力し、ＣＰＵ３０１は、入力された使用予定時間を受付ける。ある局面において、ユーザがゲーム等のアプリケーションを使用している場合には、ゲーム等の終了時点で使用予定時間を受付けてもよい。この場合、充電は、ユーザがゲーム等を利用している間も実行される。
【００６７】
ステップＳ４１５において、ＣＰＵ３０１は、第２の検出部２３０として、二次電池２１０の電流値を取得する。典型的には、第２の検出部２３０は、二次電池２１０の端子間を流れる電流値を検出する。
【００６８】
ステップＳ４１７において、ＣＰＵ３０１は、算出部２５０として、充電時間リスト３２０を参照して使用予定時間に対応する充電量を取得する。
【００６９】
ステップＳ４１９において、ＣＰＵ３０１は、算出部２５０として、取得した充電量と、検出した電池残量との差分を求める。また、ＣＰＵ３０１は、算出部２５０として、当該差分と、検出した電流値に基づいて目安充電時間を算出する。
【００７０】
ステップＳ４２１において、ＣＰＵ３０１は、目安充電時間を報知する。たとえば、ＣＰＵ３０１は、モニタ１２０に目安充電時間を表示させる。また、ＣＰＵ３０１は、目安充電時間をスピーカ１４０により音声で報知してもよい。
【００７１】
ステップＳ４２３において、ＣＰＵ３０１は、電池残量が目安電荷量に達したか否かを判断する。たとえば、ＣＰＵ３０１は、二次電池２１０の電池残量を検出し、目安電荷量を比較することで、電池残量が目安電荷量に達したか否かを判断する。あるいは、ＣＰＵ３０１は、充電を開始してから目安充電時間が経過したことにより、電池残量が目安電荷量に達したか否かを判断する。ＣＰＵ３０１は、電池残量が目安電荷量に達したと判断した場合には（ステップＳ４２３においてＹＥＳ）、制御をステップＳ４２５に切り替える。ＣＰＵ３０１は、電池残量が目安電荷量に達していないと判断した場合には（ステップＳ４２３においてＮＯ）、制御をステップＳ４２３に切り替える。
【００７２】
ステップＳ４２５において、ＣＰＵ３０１は、ＬＥＤ１３０の点灯態様を変更させる。また、ＣＰＵ３０１は、電池残量が目安電荷量に達したことをスピーカ１４０から音声により報知させるように構成されてもよい。
【００７３】
ステップＳ４２７において、ＣＰＵ３０１は、二次電池２１０の充電量が満タンになったか否かを判断する。ＣＰＵ３０１は、二次電池２１０の充電量が満タンになったと判断すると（ステップＳ４２７においてＹＥＳ）、制御をステップＳ４２９に切り替える。ＣＰＵ３０１は、二次電池２１０の充電量が満タンではなないと判断すると（ステップＳ４２７においてＮＯ）、制御をステップＳ４２７に切り替える。
【００７４】
ステップＳ４２９において、ＣＰＵ３０１は、ＬＥＤ１３０を消灯させる。また、ＣＰＵ３０１は、音声により、充電量が満タンになったことを報知するように構成さてもよい。
【００７５】
＜Ｈ．変形例＞
以下、スマートフォン１００の変形例について説明する。なお、以下では、スマートフォン１００と異なる部分についてのみ説明する。したがって、第１の実施の形態に従うスマートフォン１００と同様の部分については説明を繰り返さない。なお、第１〜第６の変形例は、選択的に組み合わされてもよい。
【００７６】
（第１の変形例）
第１の変形例に従う携帯電話機は、充電時間リスト３２０を補助記憶装置３１０に格納する代わりに、予め定められた式を補助記憶装置３１０に格納する。算出部２５０は、当該予め定められた式に基づいて目安電荷量を取得する。これにより、充電時間リスト３２０が無くても目安電荷量を取得することができる。たとえば、当該予め定められた式は、充電される電荷量が時間に比例するという前提で比例式として定められてもよい。この場合、算出部２５０は、使用予定時間に係数を掛けることにより目安電荷量を算出する。
【００７７】
（第２の変形例）
第２の変形例に従う携帯電話機は、ユーザが、モニタ１２０に表示されたダイアログ１２１，１２５に使用予定時間を入力する代わりに、モニタ１２０に表示されたプルダウンメニューから選択するように構成される。ユーザは、当該プルダウンメニューに表示される複数の時間の内から使用予定時間を選択する。受付部２４０は、ユーザにより選択された使用予定時間を受付ける。
【００７８】
（第３の変形例）
第３の変形例に従う携帯電話機においては、第１の実施の形態に従うスマートフォン１００の機能である、第１の検出部２２０、第２の検出部２３０、および算出部２５０のうちの少なくとも１つがいわゆるクラウドサービスによって提供される。この場合、少なくとも１つのサーバ装置がこれらの機能を実行する。たとえば、スマートフォン１００は、ユーザに入力された使用予定時間をサーバ装置（クラウド側）に送信する。サーバ装置（クラウド側）は、送信された使用予定時間に基づいてスマートフォン１００の処理を行なう。さらに、サーバ装置（クラウド側）がすべての処理を行なう必要はなく、本変形例に従う携帯電話機とサーバ装置とが協働して、第１の実施の形態に従う処理を実現するように構成されてもよい。
【００７９】
（第４の変形例）
第１の実施の形態においては、スマートフォン１００は、使用予定時間の入力を受付けるように構成されるが、第４の変形例に係るスマートフォン１００は、使用予定時間の代わりに使用予定終了時刻の入力を受付けるように構成される。
【００８０】
（第５の変形例）
第１の実施の形態においては、スマートフォン１００は、充電時間を報知するように構成されるが、第５の変形例に係るスマートフォン１００は、当該充電時間を報知する代わりに二次電池２１０の電池残量が目安電荷量に達する時刻を報知する。
【００８１】
また、充電時間リスト３２０は、スマートフォン１００と通信可能なサーバ装置に格納されてもよい。この場合、充電時間リスト３２０は、スマートフォン１００に格納される必要はない。
【００８２】
＜Ｉ．利点＞
以上のようにして、本実施の形態のスマートフォン１００は、使用予定時間の間継続して動作させるのに必要な電荷を蓄えるまでに要する充電時間（目安充電時間）を報知する。これにより、ユーザは、自身の行動に合わせた充電時間を把握できる。
【００８３】
また、充電量に基づいてＬＥＤ１３０の点灯の態様、および、モニタ１２０に表示内容のうちの少なくとも１つが変化するので、ユーザは、一見して充電状態を把握できる。
【００８４】
［第２の実施の形態］
以下、第２の実施の形態について説明する。本実施の形態に従うスマートフォン１００Ａは、使用予定時間の代わりに充電率を受付けるように構成される点が第１の実施の形態に従うスマートフォン１００とは異なる。本実施の形態に従うスマートフォン１００Ａのハードウェア構成は、第１の実施の形態に従うスマートフォン１００のハードウェア構成と同様である。したがって、ハードウェア構成の説明は繰り返さない。
【００８５】
＜Ｊ．概要＞
図８は、第２の実施の形態に従うスマートフォン１００Ａの概要を示す図である。図８を参照して、スマートフォン１００Ａの概要について説明する。
【００８６】
図８（Ａ）を参照して、スマートフォン１００Ａは、モニタ１２０にダイアログ５０１を表示する。ダイアログ５０１は、入力領域５０３を有する。ユーザは、入力領域５０３に二次電池２１０の容量に対する二次電池２１０に蓄える電荷量の割合（以下、「充電率」とも称す。）を受付ける。ユーザが入力領域５０３に充電率を入力すると、スマートフォン１００は、モニタ１２０にダイアログ５０５を表示する。
【００８７】
図８（Ｂ）を参照して、スマートフォン１００Ａは、モニタ１２０にダイアログ５０５を表示する。ダイアログ５０５には、入力された充電率に達するまで電荷を蓄えるのに要する充電時間（目安充電時間）が表示される。目安充電時間は、スピーカ１４０から音声として出力されてもよい。
【００８８】
より具体的には、図示されるように、ユーザが充電率として「７０％」を入力した場合、目安充電時間が２時間として表示される。つまり、二次電池２１０を７０％充電するためには、２時間の充電が必要でことが示される。
【００８９】
このように、本実施の形態に従うスマートフォン１００Ａは、目安充電時間を報知する。ユーザは、電池を充電するための時間を十分に確保できない場合等には、目安充電時間によって充電時間を短縮することができる。
【００９０】
また、スマートフォン１００を使用する時間は、ユーザまたは、ユーザの行動等によって異なる。目安充電時間によって、ユーザまたはユーザの行動に合わせた充電時間を把握することが可能になる。さらに、ユーザは、目安充電時間の把握が可能になると、目安充電時間に基づいて自身の計画を立てやすくなる。
【００９１】
＜Ｋ．算出方法＞
以下、本実施の形態に従うスマートフォン１００Ａの目安充電時間の算出方法について説明する。
【００９２】
スマートフォン１００Ａは、ユーザが入力した充電率から、当該充電率に相当する電荷量を算出する。たとえば、スマートフォン１００Ａは、二次電池２１０の容量に充電率を掛けることにより当該電荷量を算出する。算出部２５０は、算出した電荷量と、第１の検出部２２０により検出された電池残量との差分を求める。算出部２５０は、当該差分を第２の検出部２３０により検出された電流値で割ることで充電時間を算出する。
【００９３】
＜Ｌ．利点＞
このように、本実施の形態に従うスマートフォン１００Ａは、第１の実施の形態に従うスマートフォン１００とは異なり、充電時間リスト３２０を必要としない。これにより、容易にスマートフォン１００Ａの機能を実現することが可能になる。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９５】
１００，１００Ａ  スマートフォン、１２０  モニタ、１２１，１２５，５０１，５０５  ダイアログ、１２７，１２９，１３１  オブジェクト、１２３，５０３  入力領域、１４０  スピーカ、２１０  二次電池、２２０  第１の検出部、２３０  第２の検出部、２４０  受付部、２５０  算出部、２６０  報知部、２７０  点灯制御部、３０１  ＣＰＵ、３０２  ＲＯＭ、３０３  ＲＡＭ、３０５  充電端子、３０６  メモリカードＩ／Ｆ、３０７  ネットワークＩ／Ｆ、３１０  補助記憶装置、３２０  充電時間リスト、３２１  使用予定時間、３２２  充電量、３３０  メモリカード、６０１，６０２，７０１，７０２  端子、８０１，８０２，８０３，８０４  ノード、９０１，９０２，９０３，９１１，９１２  配線、１００１  電流計、１００２  電圧計、２１０１  ＋端子、２１０２  −端子。
【図１】
2015019513.tif 000003
【図２】
2015019513.tif 000004
【図３】
2015019513.tif 000005
【図４】
2015019513.tif 000006
【図５】
2015019513.tif 000007
【図６】
2015019513.tif 000008
【図７】
2015019513.tif 000009
【図８】
2015019513.tif 000010